(57)【要約】  本発明は、第１の内部クロックを有するシステムにおいてアラーム信号を管理するための方法及びシステムＳＹＳに関する。該システムは、第２の内部クロック及び画面Ｓを有する携帯型プレイヤＰＰと協働することを意図される。該方法は、該第２の内部クロックの時刻に該第１の内部クロックの時刻を設定するステップと、該画面に表示される所与の時刻値を選択するステップと、該システムにおいて該所与の時刻値を記憶するステップと、該第１の内部クロックの時刻に該第２の内部クロックの時刻を設定するステップと、該第１の内部クロックの時刻が該所与の時刻値に到達したときに、該システムにおいてアラーム信号を起動するステップと、を有する。本方法によれば、該携帯型プレイヤが該システムにドッキングされた場合、本発明によるシステムは、該携帯型プレイヤの画面が、現在時刻を表示するため及びアラーム時刻を設定している間に該アラーム時刻を表示するために利用されることができるため、該システム自体の画面を必要とせず、該システムのコストの削減に帰着する。
2014513298.tif 000002
【特許請求の範囲】
【請求項１】
第１の内部クロックを有するシステムにおいてアラーム信号を管理する方法であって、前記システムは、第２の内部クロック及び画面を有する携帯型プレイヤと協働することを意図されたものであり、前記方法は、
前記第２の内部クロックの時刻に前記第１の内部クロックの時刻を設定するステップと、
前記画面に表示される所与の時刻値を選択するステップと、
前記システムにおいて前記所与の時刻値を記憶するステップと、
前記第１の内部クロックの時刻に前記第２の内部クロックの時刻を設定するステップと、
前記第１の内部クロックの時刻が前記所与の時刻値に到達したときに、前記システムにおいてアラーム信号を起動するステップと、
を有する方法。
【請求項２】
前記アラーム信号として利用されるオーディオ信号を前記システムにおいて生成するステップを更に有する、請求項１に記載の方法。
【請求項３】
前記アラーム信号として利用されるオーディオ信号を前記携帯型プレイヤから受信するステップ更に有する、請求項１に記載の方法。
【請求項４】
前記携帯型プレイヤの画面は、スイッチオン状態又はスイッチオフ状態をとることができるバックライトを有し、前記方法は更に、前記画面のバックライトを前記スイッチオン状態に維持するためのコマンドを、前記システムから前記携帯型プレイヤに送信するステップを有する、請求項１に記載の方法。
【請求項５】
アラーム信号を管理するためのシステムであって、前記システムは第１の内部クロックを有し、前記システムは第２の内部クロック及び画面を有する携帯型プレイヤと協働することを意図されたものであり、前記システムは更に、
前記第２の内部クロックの時刻に前記第１の内部クロックの時刻を設定するための手段と、
前記画面に表示される所与の時刻値を選択するための手段と、
前記所与の時刻値を保存するためのメモリと、
前記第１の内部クロックの時刻に前記第２の内部クロックの時刻を設定するための手段と、
前記第１の内部クロックの時刻が前記所与の時刻値に到達したときに、アラーム信号を起動するための手段と、
を有するシステム。
【請求項６】
前記アラーム信号として利用されるオーディオ信号を生成するための手段を更に有する、請求項５に記載のシステム。
【請求項７】
前記アラーム信号として利用されるオーディオ信号を前記携帯型プレイヤから受信するための手段を更に有する、請求項５に記載のシステム。
【請求項８】
前記携帯型プレイヤの画面は、スイッチオン状態又はスイッチオフ状態をとることができるバックライトを有し、前記システムは更に、前記画面のバックライトを前記スイッチオン状態に維持するためのコマンドを前記携帯型プレイヤに送信するための手段を更に有する、請求項５に記載のシステム。
【請求項９】
請求項５乃至８のいずれか一項に記載のシステムを有する目覚まし時計。
【発明の詳細な説明】
【技術分野】
【０００１】
本発明は、アラーム信号を管理するための方法及びシステムに関する。
【０００２】
本発明は、目覚まし時計の分野において使用されることができ、より具体的には携帯型プレイヤをドッキングさせるためのドッキング目覚まし時計において使用されることができる。
【背景技術】
【０００３】
目覚まし時計は、今日では消費者の間に普及した製品であり、朝に起床することのような、所与の設定されたアラーム時刻に何かを行うことを、ユーザに気付かせるためにユーザにより利用される製品である。この目的のため、目覚まし時計は、音楽、歌、ブザー又はビープ音のような音声信号を、当該アラーム時刻に生成し得る。アラーム時計は、ユーザに現在時刻を表示するための、及びアラームを設定するユーザにアラーム時刻を表示するための画面を有する。
【発明の概要】
【発明が解決しようとする課題】
【０００４】
これら既知の目覚まし時計は、現在時刻を表示するため及び設定の間にアラーム時刻を表示するために使用される画面が付加的なコストをもたらすという意味で、制限を持つものである。更に、前面又はスタイルのような、表示されるものの外観の点で、ユーザの好みに必ずしも合致するものではない。
【０００５】
本発明の目的は、アラーム信号を管理するための改善された方法及びシステムを提案することにある。本発明は、独立請求項により定義される。従属請求項は、有利な実施例を定義する。
【課題を解決するための手段】
【０００６】
本発明による方法は、第１の内部クロックを有するシステムにおいてアラーム信号を管理するために利用され、ここで前記システムは、第２の内部クロック及び画面を有する携帯型プレイヤと協働することを意図されたものである。
【０００７】
本発明は、
前記第２の内部クロックの時刻に前記第１の内部クロックの時刻を設定するステップと、
前記画面に表示される所与の時刻値を選択するステップと、
前記システムにおいて前記所与の時刻値を記憶するステップと、
前記第１の内部クロックの時刻に前記第２の内部クロックの時刻を設定するステップと、
前記第１の内部クロックの時刻が前記所与の時刻値に到達したときに、前記システムにおいてアラーム信号を起動するステップと、
を有する。
【０００８】
本発明は、ＭＰ３／ＭＰ４プレイヤのような、今日消費者に普及している携帯型プレイヤ、特にオーディオ／ビデオプレイヤの存在を利用する。これら携帯型プレイヤは、オーディオ／ビデオ情報に関連した種々の情報を表示するための画面を持ち、該画面に表示される現在時刻を生成する内部クロックを持つ。これら携帯型プレイヤは、特にオーディオ／ビデオコンテンツをダウンロードするために、ドッキングによって又はケーブルを介して外部システムと協働することができるようにするコネクタを備えている。本発明による方法においては、該システムが目覚まし時計として機能する。該携帯型プレイヤが該システムにドッキングされる場合、該携帯型プレイヤの画面が、現在時刻を表示するため及び設定の間にアラーム時刻を表示するために利用されるため、該システムは先行技術の目覚まし時計とは異なり該システム自体の画面を必要とせず、該システムのコストの削減に帰着する。結果として、携帯型プレイヤのユーザが、該ユーザの携帯型プレイヤにおいて表示されている外観に満足している場合には、当該ユーザは、該携帯型プレイヤが該システムにドッキングされているときに表示されるものの外観にも満足することとなる。
【０００９】
本発明はまた、本発明による方法を実装するための手段を有するシステム、及び斯かるシステムを有する目覚まし時計装置に関する。
【００１０】
本発明の詳細な説明及びその他の態様は、以下に示される。
【００１１】
添付図面と関連して以下に説明され考察される実施例により、本発明の特定の態様が説明され、ここで同一の部分又はサブステップは同一の態様で示される。
【図面の簡単な説明】
【００１２】
【図１】本発明による方法のフロー図を示す。
【図２】携帯型プレイヤに接続されたときの本発明によるシステムの機能実装を示す。
【図３（Ａ）】携帯型プレイヤが上部に接続されたときの本発明によるシステムを示す。
【図３（Ｂ）】携帯型プレイヤが上部に接続されたときの本発明によるシステムを示す。
【図３（Ｃ）】携帯型プレイヤが上部に接続されたときの本発明によるシステムを示す。
【図３（Ｄ）】携帯型プレイヤが上部に接続されたときの本発明によるシステムを示す。
【図４】携帯型プレイヤが中央部に接続されたときの本発明によるシステムを示す。
【図５】時刻のアナログ表示を持つ携帯型プレイヤに接続された本発明によるシステムを示す。
【図６（Ａ）】本発明による第１の目覚まし時計の立体図を示す。
【図６（Ｂ）】本発明による第１の目覚まし時計の立体図を示す。
【図６（Ｃ）】本発明による第１の目覚まし時計の立体図を示す。
【図６（Ｄ）】本発明による第１の目覚まし時計の立体図を示す。
【図７（Ａ）】本発明による第２の目覚まし時計の立体図を示す。
【図７（Ｂ）】本発明による第２の目覚まし時計の立体図を示す。
【図７（Ｃ）】本発明による第２の目覚まし時計の立体図を示す。
【図７（Ｄ）】本発明による第２の目覚まし時計の立体図を示す。
【発明を実施するための形態】
【００１３】
図１は、本発明による方法のフロー図を示す。該方法は、第１の内部クロックを有するシステムにおいてアラーム信号を管理するために用いられ、該システムは、第２の内部クロック及び画面を有する携帯型プレイヤと協働することを意図される。該携帯型プレイヤは、オーディオ／ビデオ情報に関連する種々の情報を表示するための画面を持ち、該画面に表示される現在時刻を生成する内部クロックを持つ、ＭＰ３／ＭＰ４プレイヤのような、いずれのオーディオ／ビデオプレイヤに対応しても良い。該携帯型プレイヤは、ドッキングのような直接接続を介して又はケーブルを介して、外部システムのコネクタ（例えば雄部）と協働することができるように、コネクタ（例えば雌部）を備える。該携帯型プレイヤのコネクタは特に、該プレイヤが接続された外部システムからオーディオ／ビデオコンテンツをダウンロードするために利用される。本発明においては、該携帯型プレイヤにおけるコネクタは、本発明によるシステムとの接続のために利用される。
【００１４】
図３Ａは、システムＳＹＳにドッキングされる前の携帯型プレイヤＰＰを示し、ここでは該携帯型プレイヤをドッキングするために使用されるコネクタＣ（例えば雄部）が明確に示されている。図３Ｂ、図３Ｃ及び図３Ｄは、システムＳＹＳにドッキングされたときの携帯型プレイヤＰＰを示す。図３Ａ、図３Ｂ、図３Ｃ及び図３Ｄは、システムＳＹＳの上部に配置されたコネクタ（図示されていない）を有するシステムＳＹＳを示し、この配置により携帯型プレイヤＰＰは当該上部に接続される。代替としては、図４に示されるように、システムＳＹＳが、システムＳＹＳの中央部に配置されたコネクタを有し（図示されていない）、これにより携帯型プレイヤＰＰは当該中央部に接続される。図示されるように、該携帯型プレイヤの画面は、ディジタル表現により時刻を表示することができる。代替としては、図５に示されるように、該携帯型プレイヤの画面は、アナログ表現により時刻を表示することができる。
【００１５】
携帯型プレイヤＰＰは、正方形又は長方形の形状因子を持っても良く、有利には平坦で薄い本体を持つ。第１の内部クロックは、携帯型プレイヤＰＰの画面Ｓに現在時刻を表示することを可能とする。例えば、現在時刻が１２：００であることが仮定されている。
【００１６】
本発明による方法は、以下のステップを有する。
【００１７】
−第２の内部クロックの時刻に、第１の内部クロックの時刻を設定するステップ１０１。第１の内部クロックの時刻が、第２の内部クロックの時刻に変更される。換言すれば、システムＳＹＳの現在時刻が、携帯型プレイヤＰＰの現在時刻と同期させられる。
【００１８】
−前記画面に表示される所与の時刻値を選択するステップ１０２。ユーザは、システムＳＹＳにおける幾つかの押しボタン（例えば時設定を変更するためのＰＢ１、分設定を変更するためのＰＢ２）を操作して、携帯型プレイヤＰＰの画面Ｓにおける表示時刻の変更に帰着させても良い。ユーザは、所望のアラーム時刻に対応する所望の時刻が到達され、画面Ｓに表示されるまで、これら押しボタンを操作する。例として、図３Ｃに示されるように、所望の所与の時刻値は７：００であるとする。
【００１９】
−前記所与の時刻値をシステムＳＹＳに記憶させるステップ１０３。システムＳＹＳは目覚まし時計として使用されるものであるから、アラーム時刻はシステムＳＹＳに記憶される。斯くして、該携帯型プレイヤがシステムＳＹＳから後に取り外された場合にも、システムＳＹＳは依然としてアラーム信号がいつ起動されるべきかを知っていることが確実にされる。
【００２０】
−前記第１の内部クロックの時刻に、前記第２の内部クロックの時刻を設定するステップ１０４。携帯型プレイヤＰＰの現在時刻は前記所与の時刻値に変更されているため、現在時刻は第２の内部クロックに戻されなければならない。この目的のため、第２の内部クロックの時刻が、前記設定するステップ及び記憶するステップの間に経過し続けた第１の内部クロックの時刻に変更される。例えば、これら選択するステップ及び記憶するステップが２分を要した場合、第１の内部クロックの時刻は１２：０２となっており、図３Ｄに示されるように、第２の内部クロックが当該時刻値１２：０２に変更されることとなる。
【００２１】
−前記第１の内部クロックの時刻が前記所与の時刻値に到達したときに、システムＳＹＳにおいてアラーム信号を起動するステップ１０５。第１の内部クロックの時刻が記憶されているアラーム時刻に到達すると、音楽、歌、ブザー又はビープ音といった音声が生成される。
【００２２】
好適には、本発明による方法は更に、前記アラーム信号として使用されるオーディオ信号をシステムＳＹＳにおいて生成するステップを有する。当該ステップは、ユーザが、起動されるアラーム信号がシステムＳＹＳに予め保存されたブザー音又はビープ音に対応するものであることを欲する場合重要である。この場合には、携帯型プレイヤＰＰがシステムＳＹＳにドッキングされていない場合であっても、アラーム信号が起動されることができる。
【００２３】
好適には、本発明による方法は更に、前記携帯型プレイヤから、前記アラーム信号として使用されるオーディオ信号を受信するステップを有する。当該ステップは、ユーザが、起動されるアラーム信号が携帯型プレイヤＰＰに予め保存された音楽又は歌に対応するものであることを欲する場合重要である。この場合には、アラーム信号が起動されるためには、携帯型プレイヤＰＰがシステムＳＹＳにドッキングされていなければならない。
【００２４】
好適には、携帯型プレイヤＰＰの画面がスイッチオン状態とスイッチオフ状態とをとることができるバックライトを有する場合には、本発明による方法は更に、画面Ｓのバックライトをスイッチオン状態に維持するため、システムＳＹＳから携帯型プレイヤＰＰへとコマンドを送信するステップを有する。スイッチオン状態は、ユーザが画面Ｓ上に表示された情報を読む必要がある状態に対応する。スイッチオフ状態は、ユーザが画面Ｓ上に表示された情報を読む必要がない状態に対応し、携帯型プレイヤＰＰに対するユーザの何らの動作のない一定の継続時間の後に携帯型プレイヤＰＰが移行する待機モードと同等である。該コマンドを送信するステップは、携帯型プレイヤＰＰをスイッチオン状態のままとさせておき、現在時刻が継続して携帯型プレイヤＰＰの画面Ｓに表示され可視となるようにするために使用される。
【００２５】
本発明はまた、本発明による方法を実装するための手段を有するシステムＳＹＳに関する。
【００２６】
図２に示されるように、システムＳＹＳは、アラーム信号を管理するために使用される。システムＳＹＳは、第１の内部クロックＣＬＫ１を有する。該システムは、第２の内部クロックＣＬＫ２及び画面Ｓを有する携帯型プレイヤＰＰと協働することを意図される。該システムは更に、以下を有する。
【００２７】
−第２の内部クロックＣＬＫ２の時刻ｔ０に、第１の内部クロックＣＬＫ１の時刻を設定するための手段。第１の内部クロックＣＬＫ１の時刻が、第２の内部クロックＣＬＫ２の時刻に変更される。換言すれば、システムＳＹＳの現在時刻が、携帯型プレイヤＰＰの現在時刻ｔ０と同期させられる。携帯型プレイヤＰＰは、数ある中でも、画面ＳにＣＬＫ２の対応する時刻値を表示するために、第２の内部クロックＣＬＫ２を制御及び駆動するように機能する、プロセッサＣＰＵ２を有する。同様に、システムＳＹＳは、数ある中でも、第１の内部クロックＣＬＫ１を制御及び駆動するように機能する、プロセッサＣＰＵ１を有する。第２の内部クロックＣＬＫ２の時刻ｔ０に第１の内部クロックＣＬＫ１の時刻を設定することは、プロセッサＣＰＵ２がプロセッサＣＰＵ１に第２の内部クロックＣＬＫ２の現在時刻値ｔ０を送信することにより実行される。
【００２８】
−画面Ｓに表示されている所与の時刻値を選択するための手段。携帯型プレイヤＰＰの画面Ｓにおける表示時刻の変更に帰着させる、押しボタン（例えば時設定を変更するためのＰＢ１、分設定を変更するためのＰＢ２）がシステムＳＹＳに配置されても良い。押しボタンＰＢ１及びＰＢ２を操作することにより、プロセッサＣＰＵ１を介してプロセッサＣＰＵ２に送信されるコマンドＨ及びコマンドＭが生成されても良い。結果として、第２の内部クロックの時刻表示が変更される。ユーザは、所望のアラーム時刻ｔ１に対応する所望の所与の時刻値ｔ１が到達され、画面Ｓに表示されるまで、これら押しボタンを操作する。例として、図３Ｃに示されるように、所望の所与の時刻値はｔ１＝７：００であるとする。
【００２９】
−前記所与の時刻値を保存するためのメモリＭＥＭ。システムＳＹＳは目覚まし時計として使用されるものであるから、アラーム時刻ｔ１はシステムＳＹＳに記憶される。斯くして、該携帯型プレイヤがシステムＳＹＳから後に取り外された場合にも、システムＳＹＳは依然としてアラーム信号がいつ起動されるべきかを知っていることが確実にされる。この目的のため、アラーム時刻ｔ１はプロセッサＣＰＵ２によりプロセッサＣＰＵ１へと送信され、その後にプロセッサＣＰＵ１がアラーム時刻ｔ１をメモリＭＥＭに送信する。
【００３０】
−第１の内部クロックＣＬＫ１の時刻に、第２の内部クロックＣＬＫ２の時刻を設定するための手段。携帯型プレイヤＰＰの現在時刻は前記所与の時刻値ｔ１に変更されているため、現在時刻は第２の内部クロックＣＬＫ２に戻されなければならない。この目的のため、第２の内部クロックＣＬＫ２の時刻が、押しボタンＰＢ１及びＰＢ２が操作された時間の間（及びアラーム時刻ｔ１をメモリＭＥＭに保存する間）に経過し続けた第１の内部クロックＣＬＫ１の時刻ｔ２に変更される。例えば、押しボタンＰＢ１及びＰＢ２の操作（及びアラーム時刻のメモリＭＥＭへの保存）が２分を要した場合、第１の内部クロックＣＬＫ１の時刻はｔ２＝１２：０２となっており、図３Ｄに示されるように、第２の内部クロックＣＬＫが当該時刻値１２：０２に変更されることとなる。この目的のため、アラーム時刻ｔ２がプロセッサＣＰＵ１によりプロセッサＣＰＵ２へと送信され、その後にプロセッサＣＰＵ２が第２の内部クロックＣＬＫ２の時刻を変更する。
【００３１】
−第１の内部クロックＣＬＫ１の時刻が前記所与の時刻値に到達したときに、アラーム信号を起動するための手段。この目的のため、システムＳＹＳは、第１の内部クロックＣＬＫ１の時刻を、メモリＭＥＭに保存されたアラーム時刻ｔ１と比較するための、ユニットＣＯＭＰを有する。第１の内部クロックＣＬＫ１の時刻がアラーム時刻ｔ１の値に到達すると、ユニットＣＯＭＰによって第１の作動信号ＡＳ１が生成される。第１の作動信号ＡＳ１は、第１のスイッチＳＷ１を閉じ、オーディオ信号ＡＵがスピーカＳＰに供給されることに帰着させる。斯くして音楽、歌、ブザー又はビープ音といった音声が、スピーカＳＰによって生成される。
【００３２】
好適には、本発明によるシステムＳＹＳは更に、アラーム信号ＡＵとして利用されるオーディオ信号ＡＵ１を生成する手段を有する。例えば、斯かる手段は、ブザー音又はビープ音オーディオ信号のような、種々のオーディオ信号を保存するための保存ユニットＳＵ１を有しても良い。この場合には、携帯型プレイヤＰＰがシステムＳＹＳにドッキングされていない場合であっても、アラーム信号が起動されることができる。
【００３３】
好適には、本発明によるシステムＳＹＳは更に、アラーム信号ＡＵとして利用されるオーディオ信号ＡＵ２を携帯型プレイヤＰＰから受信する手段を有する。例えば、斯かる手段は、音楽又は歌のような、種々のオーディオ信号を保存するための保存ユニットＳＵ２を有しても良い。この場合には、アラーム信号が起動されるためには、携帯型プレイヤＰＰがシステムＳＹＳにドッキングされていなければならない。
【００３４】
有利にも、本発明によるシステムＳＹＳは更に、押しボタンＰＢ３により生成される第２の作動信号ＡＳ２の動作の下、オーディオ信号ＡＵ１からオーディオ信号ＡＵ２へと（又はオーディオ信号ＡＵ２からオーディオ信号ＡＵ１へと）切り換える、第２のスイッチＳＷ２を有する。押しボタンＰＢ３は、アラーム信号のためのオーディオ信号の供給源を選択するためにユーザにより作動させられることを意図される。
【００３５】
好適には、携帯型プレイヤＰＰの画面がスイッチオン状態とスイッチオフ状態とをとることができるバックライトを有する場合には、本発明によるシステムＳＹＳは更に、画面Ｓのバックライトをスイッチオン状態に維持するため、携帯型プレイヤＰＰへとコマンドＲＱを送信するための手段を有する。コマンドＲＱは、プロセッサＣＰＵ１によってプロセッサＣＰＵ２へと送信される。スイッチオン状態は、ユーザが画面Ｓ上に表示された情報を読む必要がある状態に対応する。スイッチオフ状態は、ユーザが画面Ｓ上に表示された情報を読む必要がない状態に対応し、携帯型プレイヤＰＰに対するユーザの何らの動作のない一定の継続時間の後に携帯型プレイヤＰＰが移行する待機モードと同等である。コマンドＲＱは、携帯型プレイヤＰＰをスイッチオン状態のままとさせておき、現在時刻が継続して携帯型プレイヤＰＰの画面Ｓに表示され可視となるようにするために送信される。この目的のため、プロセッサＣＰＵ２により管理されるタイマをリセットするために、幾つかのダミーコマンド（非機能的コマンドとも呼ばれる）が定期的に送信され、タイマが永続的に前記一定の継続時間と比較される。これらコマンドは、該一定の継続時間よりも短い間隔で、プロセッサＣＰＵ１により送信される。
【００３６】
図６Ａ乃至図６Ｄは、本発明による第１の目覚まし時計ＡＣ１の立体図を示す。当該目覚まし時計ＡＣ１は、以上に説明されたような本発明によるシステムＳＹＳを有し、携帯型プレイヤＰＰ１と協働することを意図されている。図６Ａは、携帯型プレイヤＰＰ１がコネクタＣによってドッキングされる前の、目覚まし時計ＡＣ１を示している。図６Ｂは、携帯型プレイヤＰＰ１がコネクタＣにドッキングされるときの、目覚まし時計ＡＣ１を示している。図６Ｃは、携帯型プレイヤＰＰ１がコネクタＣにドッキングされた後の、該プレイヤの画面Ｓが目覚まし時計ＡＣ１の前面と同一平面上となるように調節されている間の、目覚まし時計ＡＣ１を示している。図６Ｄは、以上に説明された本発明による方法を目覚まし時計ＡＣ１のユーザが実行することができるように、携帯型プレイヤＰＰ１がコネクタＣにドッキングされた後の、目覚まし時計ＡＣ１を示している。
【００３７】
図７Ａ乃至図７Ｄは、本発明による第２の目覚まし時計ＡＣ２の立体図を示す。当該目覚まし時計ＡＣ２は、以上に説明されたような本発明によるシステムＳＹＳを有し、携帯型プレイヤＰＰ２と協働することを意図されている。図７Ａは、携帯型プレイヤＰＰ２がコネクタＣによってドッキングされる前の、目覚まし時計ＡＣ２を示している。図７Ｂは、携帯型プレイヤＰＰ２をコネクタＣにドッキングする間の、目覚まし時計ＡＣ２を示している。図７Ｃは、携帯型プレイヤＰＰ２がコネクタＣにドッキングされた後の、該プレイヤの画面Ｓが目覚まし時計ＡＣ２の前面と同一平面上となるように調節されている間の、目覚まし時計ＡＣ２を示している。図７Ｄは、以上に説明された本発明による方法を目覚まし時計ＡＣ２のユーザが実行することができるように、携帯型プレイヤＰＰ２がコネクタＣにドッキングされた後の、目覚まし時計ＡＣ２を示している。
【００３８】
上述した実施例は単に例であり、本発明の手法を限定することが意図されるものではない。本発明は好適な実施例を参照しながら詳細に説明されたが、本発明の手法は、本発明の手法の精神及び範囲から逸脱することなく、同様に本発明の請求の範囲内となる変更又は置換をされ得ることは、当業者は理解するであろう。請求項において、「有する（comprising）」なる語は他の要素又はステップを除外するものではなく、「１つの（a又はan）」なる不定冠詞は複数を除外するものではない。請求項におけるいずれの参照記号も、請求の範囲を限定するものとして解釈されるべきではない。
【図１】
2014513298.tif 000003
【図２】
2014513298.tif 000004
【図３Ａ】
2014513298.tif 000005
【図３Ｂ】
2014513298.tif 000006
【図３Ｃ】
2014513298.tif 000007
【図３Ｄ】
2014513298.tif 000008
【図４】
2014513298.tif 000009
【図５】
2014513298.tif 000010
【図６Ａ】
2014513298.tif 000011
【図６Ｂ】
2014513298.tif 000012
【図６Ｃ】
2014513298.tif 000013
【図６Ｄ】
2014513298.tif 000014
【図７Ａ】
2014513298.tif 000015
【図７Ｂ】
2014513298.tif 000016
【図７Ｃ】
2014513298.tif 000017
【図７Ｄ】
2014513298.tif 000018
【国際調査報告】
2014513298.tif 000019
2014513298.tif 000020